(57)【特許請求の範囲】
【請求項１】
イヤホンを差し込む、または引き抜く過程で発生するノイズを低減できる端子であって、
イヤホンソケット、スイッチ回路、イヤホン電源回路、およびブリーダ回路を備え、前記イヤホンソケットは第１のピンおよび第２のピンを備え、前記スイッチ回路は制御ピン、入力端子、第１の出力端子、および第２の出力端子を備え、前記イヤホンソケットの前記第１のピンは前記スイッチ回路の前記制御ピンに接続され、前記イヤホンソケットの前記第２のピンは前記スイッチ回路の前記入力端子に接続され、前記スイッチ回路の前記第１の出力端子は前記イヤホン電源回路に接続され、前記スイッチ回路の前記第２の出力端子は前記ブリーダ回路に接続され、前記ブリーダ回路は前記イヤホンのオーディオ左チャンネルまたはオーディオ右チャンネルを通過する電圧間の差を低減するように構成され、前記端子は前記第１のピンの電圧を検出することによって前記イヤホンが差し込まれているか引き抜かれているかを決定し、前記端子は前記第２のピンを用いることによって前記イヤホンに電力を供給し、
前記スイッチ回路の前記制御ピンの入力電圧が第１のプリセット電圧値より低いときは、前記スイッチ回路の前記制御ピンは前記スイッチ回路の前記入力端子が前記スイッチ回路の前記第１の出力端子に接続されるように制御し、または前記スイッチ回路の前記制御ピンの入力電圧が第２のプリセット電圧値より高いときは、前記スイッチ回路の前記制御ピンは前記スイッチ回路の前記入力端子が前記スイッチ回路の前記第２の出力端子に接続されるように制御し、
前記イヤホンは標準イヤホンと同様に導電性部分Ｌ、Ｒ、Ｇ、およびＭを備え、
前記標準イヤホンの前記部分Ｇの長さはＡｍｍであり、前記標準イヤホンの前記部分Ｇと前記部分Ｍの間の絶縁体層の長さはＢｍｍであり、
前記イヤホンの前記部分Ｇの長さは（Ａ−Ｘ）ｍｍであり、前記イヤホンの前記部分Ｇと前記部分Ｍの間の絶縁体層の長さは（Ｂ＋Ｘ）ｍｍであり、
Ｘの特定の値は、前記イヤホンの設計において満たされる必要がある２つの条件に従って設定される必要があり、前記２つの条件は、（１）前記イヤホンが前記イヤホンソケットに完全に差し込まれた後に、前記イヤホンソケットの前記第２のピンの接点は前記イヤホンの前記部分Ｍと高い信頼度で接触すること、および（２）前記イヤホンが前記イヤホンソケットに差し込まれつつあるときに、前記イヤホンソケットの前記第２のピンの接点は、前記イヤホンソケットの前記第１のピンが前記イヤホンの前記部分Ｌと接触する時点で、前記イヤホンの前記部分Ｇと接触しないことである
ことを特徴とする端子。
【請求項２】
電圧調整ユニットをさらに備え、
前記イヤホンソケットの前記第１のピンが前記スイッチ回路の前記制御ピンに接続されることは、特に、前記イヤホンソケットの前記第１のピンが前記電圧調整ユニットの１つの端子に接続され、前記電圧調整ユニットの別の端子が前記スイッチ回路の前記制御ピンに接続されることであり、
前記電圧調整ユニットは、前記イヤホンソケットの前記第１のピンの前記電圧に従って、前記スイッチ回路の前記制御ピンの前記入力電圧が前記第１のプリセット電圧値より低くなるように調整するように、または前記イヤホンソケットの前記第１のピンの前記電圧に従って、前記スイッチ回路の前記制御ピンの前記入力電圧が前記第２のプリセット電圧値より高くなるように調整するように構成される
ことを特徴とする請求項１に記載の端子。
【請求項３】
前記電圧調整ユニットは特に電圧比較器であり、
前記電圧比較器は、前記イヤホンソケットの前記第１のピンの前記電圧および基準電圧に従って、前記スイッチ回路の前記制御ピンの前記入力電圧が前記第１のプリセット電圧値より低くなるように調整するように、または前記イヤホンソケットの前記第１のピンの前記電圧および基準電圧に従って、前記スイッチ回路の前記制御ピンの前記入力電圧が前記第２のプリセット電圧値より高くなるように調整するように構成される
ことを特徴とする請求項２に記載の端子。
【請求項４】
ＣＰＵをさらに備え、
前記イヤホンソケットの前記第１のピンが前記スイッチ回路の前記制御ピンに接続されることは、特に、前記イヤホンソケットの前記第１のピンが前記ＣＰＵに電気的に接続され、前記ＣＰＵが前記スイッチ回路の前記制御ピンに電気的に接続されることであり、
前記ＣＰＵは、前記イヤホンソケットの前記第１のピンの前記電圧に従って、前記スイッチ回路の前記制御ピンの前記入力電圧が前記第１のプリセット電圧値より低くなるように調整するように、または前記イヤホンソケットの前記第１のピンの前記電圧に従って、前記スイッチ回路の前記制御ピンの前記入力電圧が前記第２のプリセット電圧値より高くなるように調整するように構成される
ことを特徴とする請求項１に記載の端子。
【請求項５】
前記ブリーダ回路はプルダウン抵抗を備え、前記プルダウン抵抗の一方の端子は前記スイッチ回路の前記第２の出力端子に接続され、
前記プルダウン抵抗の他方の端子は前記端子のグラウンドに接続され、または前記プルダウン抵抗の前記他方の端子は前記イヤホン電源回路に接続される
ことを特徴とする請求項１乃至４のいずれか一項に記載の端子。
【請求項６】
前記プルダウン抵抗の前記他方の端子が前記端子の前記グラウンドに接続されたときは、前記プルダウン抵抗の抵抗値は１キロオーム以下である
ことを特徴とする請求項５に記載の端子。
【請求項７】
前記プルダウン抵抗の前記他方の端子が前記イヤホン電源回路に接続されたときは、前記プルダウン抵抗の抵抗値は５キロオーム以上である
ことを特徴とする請求項５に記載の端子。
【請求項８】
イヤホンを差し込む、または引き抜く過程で発生するノイズを低減できる端子であって、
イヤホンソケット、スイッチ回路、イヤホン電源回路、およびブリーダ回路を備え、前記イヤホンソケットは第１のピンおよび第２のピンを備え、前記スイッチ回路は制御ピン、入力端子、第１の出力端子、および第２の出力端子を備え、前記イヤホンソケットの前記第１のピンは前記スイッチ回路の前記制御ピンに接続され、前記イヤホンソケットの前記第２のピンは前記スイッチ回路の前記入力端子に接続され、前記スイッチ回路の前記第１の出力端子は前記イヤホン電源回路に接続され、前記スイッチ回路の前記第２の出力端子は前記ブリーダ回路に接続され、前記ブリーダ回路は前記イヤホンのオーディオ左チャンネルまたはオーディオ右チャンネルを通過する電圧間の差を低減するように構成され、前記端子は前記第１のピンの電圧を検出することによって前記イヤホンが差し込まれているか引き抜かれているかを決定し、前記端子は前記第２のピンを用いることによって前記イヤホンに電力を供給し、
前記スイッチ回路の前記制御ピンの入力電圧が第１のプリセット電圧値より高いときは、前記スイッチ回路の前記制御ピンは前記スイッチ回路の前記入力端子が前記スイッチ回路の前記第１の出力端子に接続されるように制御し、または前記スイッチ回路の前記制御ピンの入力電圧が第２のプリセット電圧値より低いときは、前記スイッチ回路の前記制御ピンは前記スイッチ回路の前記入力端子が前記スイッチ回路の前記第２の出力端子に接続されるように制御し、
前記イヤホンは標準イヤホンと同様に導電性部分Ｌ、Ｒ、Ｇ、およびＭを備え、
前記標準イヤホンの前記部分Ｇの長さはＡｍｍであり、前記標準イヤホンの前記部分Ｇと前記部分Ｍの間の絶縁体層の長さはＢｍｍであり、
前記イヤホンの前記部分Ｇの長さは（Ａ−Ｘ）ｍｍであり、前記イヤホンの前記部分Ｇと前記部分Ｍの間の絶縁体層の長さは（Ｂ＋Ｘ）ｍｍであり、
Ｘの特定の値は、前記イヤホンの設計において満たされる必要がある２つの条件に従って設定される必要があり、前記２つの条件は、（１）前記イヤホンが前記イヤホンソケットに完全に差し込まれた後に、前記イヤホンソケットの前記第２のピンの接点は前記イヤホンの前記部分Ｍと高い信頼度で接触すること、および（２）前記イヤホンが前記イヤホンソケットに差し込まれつつあるときに、前記イヤホンソケットの前記第２のピンの接点は、前記イヤホンソケットの前記第１のピンが前記イヤホンの前記部分Ｌと接触する時点で、前記イヤホンの前記部分Ｇと接触しないことである
ことを特徴とする端子。
【請求項９】
電圧調整ユニットをさらに備え、
前記イヤホンソケットの前記第１のピンが前記スイッチ回路の前記制御ピンに接続されることは、特に、前記イヤホンソケットの前記第１のピンが前記電圧調整ユニットの１つの端子に接続され、前記電圧調整ユニットの別の端子が前記スイッチ回路の前記制御ピンに接続されることであり、
前記電圧調整ユニットは、前記イヤホンソケットの前記第１のピンの前記電圧に従って、前記スイッチ回路の前記制御ピンの前記入力電圧が前記第１のプリセット電圧値より低くなるように調整するように、または前記イヤホンソケットの前記第１のピンの前記電圧に従って、前記スイッチ回路の前記制御ピンの前記入力電圧が前記第２のプリセット電圧値より高くなるように調整するように構成される
ことを特徴とする請求項８に記載の端子。
【請求項１０】
前記電圧調整ユニットは特に電圧比較器であり、
前記電圧比較器は、前記イヤホンソケットの前記第１のピンの前記電圧および基準電圧に従って、前記スイッチ回路の前記制御ピンの前記入力電圧が前記第１のプリセット電圧値より低くなるように調整するように、または前記イヤホンソケットの前記第１のピンの前記電圧および基準電圧に従って、前記スイッチ回路の前記制御ピンの前記入力電圧が前記第２のプリセット電圧値より高くなるように調整するように構成される
ことを特徴とする請求項９に記載の端子。
【請求項１１】
ＣＰＵをさらに備え、
前記イヤホンソケットの前記第１のピンが前記スイッチ回路の前記制御ピンに接続されることは、特に、前記イヤホンソケットの前記第１のピンが前記ＣＰＵに電気的に接続され、前記ＣＰＵが前記スイッチ回路の前記制御ピンに電気的に接続されることであり、
前記ＣＰＵは、前記イヤホンソケットの前記第１のピンの前記電圧に従って、前記スイッチ回路の前記制御ピンの前記入力電圧が前記第１のプリセット電圧値より低くなるように調整するように、または前記イヤホンソケットの前記第１のピンの前記電圧に従って、前記スイッチ回路の前記制御ピンの前記入力電圧が前記第２のプリセット電圧値より高くなるように調整するように構成される
ことを特徴とする請求項８に記載の端子。
【請求項１２】
前記ブリーダ回路はプルダウン抵抗を備え、前記プルダウン抵抗の一方の端子は前記スイッチ回路の前記第２の出力端子に接続され、
前記プルダウン抵抗の他方の端子は前記端子のグラウンドに接続され、または前記プルダウン抵抗の前記他方の端子は前記イヤホン電源回路に接続される
ことを特徴とする請求項８乃至１１のいずれか一項に記載の端子。
【請求項１３】
前記プルダウン抵抗の前記他方の端子が前記端子の前記グラウンドに接続されたときは、前記プルダウン抵抗の抵抗値は１キロオーム以下である
ことを特徴とする請求項１２に記載の端子。
【請求項１４】
前記プルダウン抵抗の前記他方の端子が前記イヤホン電源回路に接続されたときは、前記プルダウン抵抗の抵抗値は５キロオーム以上である
ことを特徴とする請求項１２に記載の端子。
【請求項１５】
イヤホンを差し込む、または引き抜く過程で発生するノイズを低減できるシステムであって、端子および前記イヤホンを備え、
前記端子は、
イヤホンソケット、スイッチ回路、イヤホン電源回路、およびブリーダ回路を備え、前記イヤホンソケットは第１のピンおよび第２のピンを備え、前記スイッチ回路は制御ピン、入力端子、第１の出力端子、および第２の出力端子を備え、前記イヤホンソケットの前記第１のピンは前記スイッチ回路の前記制御ピンに接続され、前記イヤホンソケットの前記第２のピンは前記スイッチ回路の前記入力端子に接続され、前記スイッチ回路の前記第１の出力端子は前記イヤホン電源回路に接続され、前記スイッチ回路の前記第２の出力端子は前記ブリーダ回路に接続され、前記ブリーダ回路は前記イヤホンのオーディオ左チャンネルまたはオーディオ右チャンネルを通過する電圧間の差を低減するように構成され、前記端子は前記第１のピンの電圧を検出することによって前記イヤホンが差し込まれているか引き抜かれているかを決定し、前記端子は前記第２のピンを用いることによって前記イヤホンに電力を供給し、
前記スイッチ回路の前記制御ピンの入力電圧が第１のプリセット電圧値より低いときは、前記スイッチ回路の前記制御ピンは前記スイッチ回路の前記入力端子が前記スイッチ回路の前記第１の出力端子に接続されるように制御し、または前記スイッチ回路の前記制御ピンの入力電圧が第２のプリセット電圧値より高いときは、前記スイッチ回路の前記制御ピンは前記スイッチ回路の前記入力端子が前記スイッチ回路の前記第２の出力端子に接続されるように制御し、
前記イヤホンが前記イヤホンソケットに完全に差し込まれた後に、前記イヤホンソケットの前記第２のピンの接点は前記イヤホンと高い信頼度で接触し、および前記イヤホンが前記イヤホンソケットに差し込まれつつあるときに、前記イヤホンソケットの前記第２のピンの接点は、前記イヤホンソケットの前記第１のピンが前記イヤホンと接触する時点で、前記イヤホンの導電性部分と接触せず、
または前記端子は、
イヤホンソケット、スイッチ回路、イヤホン電源回路、およびブリーダ回路を備え、前記イヤホンソケットは第１のピンおよび第２のピンを備え、前記スイッチ回路は制御ピン、入力端子、第１の出力端子、および第２の出力端子を備え、前記イヤホンソケットの前記第１のピンは前記スイッチ回路の前記制御ピンに接続され、前記イヤホンソケットの前記第２のピンは前記スイッチ回路の前記入力端子に接続され、前記スイッチ回路の前記第１の出力端子は前記イヤホン電源回路に接続され、前記スイッチ回路の前記第２の出力端子は前記ブリーダ回路に接続され、前記ブリーダ回路は前記イヤホンのオーディオ左チャンネルまたはオーディオ右チャンネルを通過する電圧間の差を低減するように構成され、前記端子は前記第１のピンの電圧を検出することによって前記イヤホンが差し込まれているか引き抜かれているかを決定し、前記端子は前記第２のピンを用いることによって前記イヤホンに電力を供給し、
前記スイッチ回路の前記制御ピンの入力電圧が第１のプリセット電圧値より高いときは、前記スイッチ回路の前記制御ピンは前記スイッチ回路の前記入力端子が前記スイッチ回路の前記第１の出力端子に接続されるように制御し、または前記スイッチ回路の前記制御ピンの入力電圧が第２のプリセット電圧値より低いときは、前記スイッチ回路の前記制御ピンは前記スイッチ回路の前記入力端子が前記スイッチ回路の前記第２の出力端子に接続されるように制御し、
前記イヤホンは標準イヤホンと同様に導電性部分Ｌ、Ｒ、Ｇ、およびＭを備え、
前記標準イヤホンの前記部分Ｇの長さはＡｍｍであり、前記標準イヤホンの前記部分Ｇと前記部分Ｍの間の絶縁体層の長さはＢｍｍであり、
前記イヤホンのライン順序がＬ、Ｒ、Ｇ、およびＭであるとき、前記イヤホンの前記部分Ｇの長さは（Ａ−Ｘ）ｍｍであり、前記イヤホンの前記部分Ｇと前記部分Ｍの間の絶縁体層の長さは（Ｂ＋Ｘ）ｍｍであり、または、前記イヤホンのライン順序がＬ、Ｒ、Ｍ、およびＧであるとき、前記イヤホンの前記部分Ｍの長さは（Ａ−Ｘ）ｍｍであり、前記イヤホンの前記部分Ｍと前記部分Ｇの間の絶縁体層の長さは（Ｂ＋Ｘ）ｍｍであり、
Ｘの値は、前記イヤホンが前記イヤホンソケットに完全に差し込まれた後に、前記イヤホンソケットの前記第２のピンの接点は前記イヤホンと高い信頼度で接触すること、および前記イヤホンが前記イヤホンソケットに差し込まれつつあるときに、前記イヤホンソケットの前記第２のピンの接点は、前記イヤホンソケットの前記第１のピンが前記イヤホンと接触する時点で前記イヤホンの導電性部分と接触しない、という条件に従って設定される
ことを特徴とするシステム。
【請求項１６】
標準イヤホンと同様に導電性部分Ｌ、Ｒ、Ｇ、およびＭを備えたイヤホンであって、
前記標準イヤホンの前記部分Ｇの長さはＡｍｍであり、前記標準イヤホンの前記部分Ｇと前記部分Ｍの間の絶縁体層の長さはＢｍｍであり、
前記イヤホンのライン順序がＬ、Ｒ、Ｇ、およびＭであるとき、前記イヤホンの前記部分Ｇの長さは（Ａ−Ｘ）ｍｍであり、前記イヤホンの前記部分Ｇと前記部分Ｍの間の絶縁体層の長さは（Ｂ＋Ｘ）ｍｍであり、または、前記イヤホンのライン順序がＬ、Ｒ、Ｍ、およびＧであるとき、前記イヤホンの前記部分Ｍの長さは（Ａ−Ｘ）ｍｍであり、前記イヤホンの前記部分Ｍと前記部分Ｇの間の絶縁体層の長さは（Ｂ＋Ｘ）ｍｍであり、
Ｘの値は、前記イヤホンがイヤホンソケットに完全に差し込まれた後に、前記イヤホンに電力を供給するための前記イヤホンソケットの第２のピンの接点は前記イヤホンと高い信頼度で接触すること、および前記イヤホンが前記イヤホンソケットに差し込まれつつあるときに、前記イヤホンソケットの前記第２のピンの接点は、電圧を検出することによって前記イヤホンが差し込まれているか引き抜かれているかを決定するための前記イヤホンソケットの第１のピンが前記イヤホンと接触する時点で前記イヤホンの導電性部分と接触しない、という条件に従って設定される
ことを特徴とするイヤホン。
【発明の詳細な説明】
【技術分野】
【０００１】
本発明の実施形態は通信技術に関し、具体的にはイヤホンを差し込む、または引き抜く過程で発生するノイズを低減できる端子およびシステムに関する。
【背景技術】
【０００２】
電子技術の進歩と共に電子製品は、まますます強力な機能を特色とし、ますます普及している。電子製品がビデオファイルおよびオーディオファイルを再生するためにより頻繁に用いられるのに従って、イヤホンもまたより頻繁に用いられる。しかし、イヤホンがイヤホンソケットに差し込まれ、またはそれから引き抜かれつつあるときに、イヤホンのオーディオ左チャンネルまたはオーディオ右チャンネルからノイズが生じ得る。
【０００３】
図１に示される位置に、イヤホンがイヤホンソケットに差し込まれ、またはそれから引き抜かれる例を用いることによって、以下に、イヤホンがイヤホンソケットに差し込まれ、またはそれから引き抜かれつつあるときにノイズが発生される理由を述べる。図１に示されるように、イヤホンソケットのピン２はイヤホンの部分Ｇと接触しており、イヤホンソケットのピン３はイヤホンの部分Ｒと接触している。従ってマイクロフォンバイアス電圧ＭＩＣ＿ＢＩＡＳ上の電圧は、イヤホンのオーディオ右チャンネルからループを形成し、それによりイヤホンのオーディオ右チャンネルからノイズが生じる。
【０００４】
具体的には、携帯電話ボード側上の、３．５ｍｍイヤホンジャックを用いることによって電力供給されるアクティブノイズ低減イヤホンは、イヤホンがイヤホンソケットに差し込まれ、またはそれから引き抜かれつつあるときに、より大きなノイズを発生する。アクティブノイズ低減イヤホンは、イヤホンソケットのピン２を用いることによって電力供給される必要があるので、より高い電源電圧は、イヤホンがイヤホンソケットに差し込まれ、またはそれから引き抜かれつつあるときに、より大きなノイズを発生させる。頻繁なノイズはユーザの聴覚を損ない、従ってイヤホンを差し込むまたは引き抜く過程で発生されるノイズをどのように低減するかは、緊急に解決されるべき問題となる。
【発明の概要】
【０００５】
本発明の実施形態は、イヤホンを差し込むまたは引き抜く過程で発生されるノイズを低減するために、イヤホンを差し込むまたは引き抜く過程で発生されるノイズを低減することができる端子およびシステムをもたらす。
【０００６】
第１の態様によれば本発明の実施形態は、イヤホンを差し込むまたは引き抜く過程で発生されるノイズを低減することができる端子をもたらし、これはイヤホンソケット、スイッチ回路、イヤホン電源回路、およびブリーダ回路を含み、イヤホンソケットは第１のピンおよび第２のピンを含み、スイッチ回路は制御ピン、入力端子、第１の出力端子、および第２の出力端子を含み、イヤホンソケットの第１のピンはスイッチ回路の制御ピンに接続され、イヤホンソケットの第２のピンはスイッチ回路の入力端子に接続され、スイッチ回路の第１の出力端子はイヤホン電源回路に接続され、スイッチ回路の第２の出力端子はブリーダ回路に接続され、ブリーダ回路はイヤホンのオーディオ左チャンネルまたはオーディオ右チャンネルを通過する電圧間の差を低減するように構成され、端子は第１のピンの電圧を検出することによってイヤホンが差し込まれているか引き抜かれているかを決定し、端子は第２のピンを用いることによってイヤホンに電力を供給し、スイッチ回路の制御ピンの入力電圧が第１のプリセット電圧値より低いときは、スイッチ回路の制御ピンはスイッチ回路の入力端子がスイッチ回路の第１の出力端子に接続されるように制御し、またはスイッチ回路の制御ピンの入力電圧が第２のプリセット電圧値より高いときは、スイッチ回路の制御ピンはスイッチ回路の入力端子がスイッチ回路の第２の出力端子に接続されるように制御する。
【０００７】
第１の態様に関連して、第１の態様の第１の可能な実装方法では、端子は、電圧調整ユニットをさらに含み、イヤホンソケットの第１のピンがスイッチ回路の制御ピンに接続されることは、特に、イヤホンソケットの第１のピンが電圧調整ユニットの１つの端子に接続され、電圧調整ユニットの別の端子がスイッチ回路の制御ピンに接続されることであり、電圧調整ユニットは、イヤホンソケットの第１のピンの電圧に従って、スイッチ回路の制御ピンの入力電圧が第１のプリセット電圧値より低くなるように調整するように、またはイヤホンソケットの第１のピンの電圧に従って、スイッチ回路の制御ピンの入力電圧が第２のプリセット電圧値より高くなるように調整するように構成される。
【０００８】
第１の態様の第１の可能な実装方法に関連して、第１の態様の第２の可能な実装方法では、電圧調整ユニットは特に電圧比較器であり、電圧比較器は、イヤホンソケットの第１のピンの電圧および基準電圧に従って、スイッチ回路の制御ピンの入力電圧が第１のプリセット電圧値より低くなるように調整するように、またはイヤホンソケットの第１のピンの電圧および基準電圧に従って、スイッチ回路の制御ピンの入力電圧が第２のプリセット電圧値より高くなるように調整するように構成される。
【０００９】
第１の態様に関連して、第１の態様の第３の可能な実装方法では、端子はＣＰＵをさらに含み、イヤホンソケットの第１のピンがスイッチ回路の制御ピンに接続されることは、特に、イヤホンソケットの第１のピンがＣＰＵに電気的に接続され、ＣＰＵがスイッチ回路の制御ピンに電気的に接続されることであり、ＣＰＵは、イヤホンソケットの第１のピンの電圧に従って、スイッチ回路の制御ピンの入力電圧が第１のプリセット電圧値より低くなるように調整するように、またはイヤホンソケットの第１のピンの電圧に従って、スイッチ回路の制御ピンの入力電圧が第２のプリセット電圧値より高くなるように調整するように構成される。
【００１０】
第１の態様、または第１の態様の上記の可能な実装方法のいずれか１つに関連して、第１の態様の第４の可能な実装方法では、ブリーダ回路はプルダウン抵抗を含み、プルダウン抵抗の一方の端子はスイッチ回路の第２の出力端子に接続され、プルダウン抵抗の他方の端子は端子のグラウンドに接続され、またはプルダウン抵抗の他方の端子はイヤホン電源回路に接続される。
【００１１】
第１の態様の第４の可能な実装方法に関連して、第１の態様の第５の可能な実装方法では、プルダウン抵抗の他方の端子が端子のグラウンドに接続されたときは、プルダウン抵抗の抵抗値は１キロオーム以下である。
【００１２】
第１の態様の第４の可能な実装方法に関連して、第１の態様の第６の可能な実装方法では、プルダウン抵抗の他方の端子がイヤホン電源回路に接続されたときは、プルダウン抵抗の抵抗値は５キロオーム以上である。
【００１３】
第１の態様、または第１の態様の上記の可能な実装方法のいずれか１つに関連して、第１の態様の第７の可能な実装方法では、イヤホンソケットは、イヤホンがイヤホンソケットに完全に差し込まれた後に、イヤホンソケットの第２のピンの接点が、イヤホンと高い信頼度で接触すること、およびイヤホンがイヤホンソケットに差し込まれつつあるときに、イヤホンソケットの第２のピンの接点は、イヤホンソケットの第１のピンがイヤホンと接触する時点で、イヤホンの導電性部分と接触しないこと、という条件を満たす必要がある。
【００１４】
第２の態様によれば本発明の実施形態は、イヤホンを差し込むまたは引き抜く過程で発生されるノイズを低減することができる端子をもたらし、これはイヤホンソケット、スイッチ回路、イヤホン電源回路、およびブリーダ回路を含み、イヤホンソケットは第１のピンおよび第２のピンを含み、スイッチ回路は制御ピン、入力端子、第１の出力端子、および第２の出力端子を含み、イヤホンソケットの第１のピンはスイッチ回路の制御ピンに接続され、イヤホンソケットの第２のピンはスイッチ回路の入力端子に接続され、スイッチ回路の第１の出力端子はイヤホン電源回路に接続され、スイッチ回路の第２の出力端子はブリーダ回路に接続され、ブリーダ回路はイヤホンのオーディオ左チャンネルまたはオーディオ右チャンネルを通過する電圧間の差を低減するように構成され、端子は第１のピンの電圧を検出することによってイヤホンが差し込まれているか引き抜かれているかを決定し、端子は第２のピンを用いることによってイヤホンに電力を供給し、スイッチ回路の制御ピンの入力電圧が第１のプリセット電圧値より低いときは、スイッチ回路の制御ピンはスイッチ回路の入力端子がスイッチ回路の第１の出力端子に接続されるように制御し、またはスイッチ回路の制御ピンの入力電圧が第２のプリセット電圧値より高いときは、スイッチ回路の制御ピンはスイッチ回路の入力端子がスイッチ回路の第２の出力端子に接続されるように制御する。
【００１５】
第２の態様に関連して、第２の態様の第１の可能な実装方法では、端子は、電圧調整ユニットをさらに含み、イヤホンソケットの第１のピンがスイッチ回路の制御ピンに接続されることは、特に、イヤホンソケットの第１のピンが電圧調整ユニットの１つの端子に接続され、電圧調整ユニットの別の端子がスイッチ回路の制御ピンに接続されることであり、電圧調整ユニットは、イヤホンソケットの第１のピンの電圧に従って、スイッチ回路の制御ピンの入力電圧が第１のプリセット電圧値より低くなるように調整するように、またはイヤホンソケットの第１のピンの電圧に従って、スイッチ回路の制御ピンの入力電圧が第２のプリセット電圧値より高くなるように調整するように構成される。
【００１６】
第２の態様の第２の可能な実装方法に関連して、第２の態様の第２の可能な実装方法では、電圧調整ユニットは特に電圧比較器であり、電圧比較器は、イヤホンソケットの第１のピンの電圧および基準電圧に従って、スイッチ回路の制御ピンの入力電圧が第１のプリセット電圧値より低くなるように調整するように、またはイヤホンソケットの第１のピンの電圧および基準電圧に従って、スイッチ回路の制御ピンの入力電圧が第２のプリセット電圧値より高くなるように調整するように構成される。
【００１７】
第２の態様に関連して、第２の態様の第３の可能な実装方法では、端子はＣＰＵをさらに含み、イヤホンソケットの第１のピンがスイッチ回路の制御ピンに接続されることは、特に、イヤホンソケットの第１のピンがＣＰＵに電気的に接続され、ＣＰＵがスイッチ回路の制御ピンに電気的に接続されることであり、ＣＰＵは、イヤホンソケットの第１のピンの電圧に従って、スイッチ回路の制御ピンの入力電圧が第１のプリセット電圧値より低くなるように調整するように、またはイヤホンソケットの第１のピンの電圧に従って、スイッチ回路の制御ピンの入力電圧が第２のプリセット電圧値より高くなるように調整するように構成される。
【００１８】
第２の態様、または第２の態様の上記の可能な実装方法のいずれか１つに関連して、第２の態様の第４の可能な実装方法では、ブリーダ回路はプルダウン抵抗を含み、プルダウン抵抗の一方の端子はスイッチ回路の第２の出力端子に接続され、プルダウン抵抗の他方の端子は端子のグラウンドに接続され、またはプルダウン抵抗の他方の端子はイヤホン電源回路に接続される。
【００１９】
第２の態様の第４の可能な実装方法に関連して、第２の態様の第５の可能な実装方法では、プルダウン抵抗の他方の端子が端子のグラウンドに接続されたときは、プルダウン抵抗の抵抗値は１キロオーム以下である。
【００２０】
第２の態様の第４の可能な実装方法に関連して、第２の態様の第６の可能な実装方法では、プルダウン抵抗の他方の端子がイヤホン電源回路に接続されたときは、プルダウン抵抗の抵抗値は５キロオーム以上である。
【００２１】
第２の態様、または第２の態様の上記の可能な実装方法のいずれか１つに関連して、第２の態様の第７の可能な実装方法では、イヤホンソケットは、イヤホンがイヤホンソケットに完全に差し込まれた後に、イヤホンソケットの第２のピンの接点が、イヤホンと高い信頼度で接触すること、およびイヤホンがイヤホンソケットに差し込まれつつあるときに、イヤホンソケットの第２のピンの接点は、イヤホンソケットの第１のピンがイヤホンと接触する時点で、イヤホンの導電性部分と接触しないこと、という条件を満たす必要がある。
【００２２】
第３の態様によれば本発明の実施形態は、イヤホンを差し込むまたは引き抜く過程で発生されるノイズを低減することができるシステムであって、第１の態様もしくは第１の態様の実装方法のいずれか１つによる端子およびイヤホン、または第２の態様もしくは第２の態様の実装方法のいずれか１つによる端子およびイヤホンを含む、システムをさらにもたらす。
【００２３】
第３の態様に関連して、第３の態様の第１の可能な実装方法では、イヤホンのライン順序がＬ、Ｒ、ＧおよびＭであるとき、イヤホンの部分Ｇの長さはＷｍｍであり、イヤホンのライン順序がＬ、Ｒ、ＭおよびＧであるとき、イヤホンの部分Ｍの長さはＷｍｍであり、イヤホンの設定は、イヤホンがイヤホンソケットに完全に差し込まれた後に、イヤホンソケットの第２のピンの接点が、イヤホンと高い信頼度で接触すること、およびイヤホンがイヤホンソケットに差し込まれつつあるときに、イヤホンソケットの第２のピンの接点は、イヤホンソケットの第１のピンがイヤホンと接触する時点で、イヤホンの導電性部分と接触しないこと、という条件を満たす必要がある。
【００２４】
本発明の実施形態においてもたらされる、イヤホンを差し込むまたは引き抜く過程で発生されるノイズを低減することができる端子およびシステムによれば、端子内にスイッチ回路が追加され、スイッチ回路の制御ピンの入力電圧がハイレベルまたはローレベルのときは（端子と共に用いられるイヤホンタイプに対して、ハイレベルおよびローレベルのいずれかが選択される）、スイッチ回路の入力端子はスイッチ回路の第２の出力端子に接続され、すなわちイヤホン電源回路と、イヤホンソケットの第２のピンとの間の接続は切断される。従ってイヤホン電源回路上の電圧は、イヤホンのオーディオ左チャンネルまたはオーディオ右チャンネル上にループを形成せず、イヤホンのオーディオ左チャンネルまたはオーディオ右チャンネルからノイズは生じず、それによりイヤホンがイヤホンソケットに差し込まれ、またはそれから引き抜かれつつあるときに発生されるノイズは効果的に低減される。
【図面の簡単な説明】
【００２５】
本発明の実施形態における、または従来技術における技術的解決策をより明確に述べるために、以下は実施形態または従来技術を述べるために必要な添付の図面を簡潔に導入する。明らかに、以下の説明における添付の図面は本発明のいくつかの実施形態を示し、当業者は創造的な努力なしに、これらの添付の図面から更に他の図面を導き出し得る。
【図１】従来技術での端子の概略構造図である。
【図２】本発明の実施形態による端子の概略構造図である。
【図３】本発明の他の実施形態による端子の概略構造図である。
【図４】本発明の実施形態によるブリーダ回路およびスイッチ回路の概略構造図である。
【図５】本発明の他の実施形態によるブリーダ回路およびスイッチ回路の概略構造図である。
【図６】本発明の実施形態によるシステムの構造図である。
【図７】従来技術での標準イヤホンの概略構造図である。
【図８】本発明の実施形態による改良型イヤホンの概略構造図である。
【発明を実施するための形態】
【００２６】
本発明の実施形態の目的、技術的解決策、および利点をより明らかにするために、以下に本発明の実施形態における添付の図面を参照して、本発明の実施形態における技術的解決策を、明らかにおよび十分に述べる。明らかに、述べられる実施形態は本発明の実施形態のすべてではなく一部である。本発明の実施形態に基づいて当業者によって創造的な努力なしに得られるすべての他の実施形態は、本発明の保護範囲に包含されなければならない。
【００２７】
実施形態１
図２は、本発明の実施形態による端子の概略構造図である（イヤホンソケットに関連する部分のみを示す）。図２に示されるように端子は、イヤホンソケット２１、スイッチ回路２２、イヤホン電源回路２３、およびブリーダ回路２４を含む。イヤホンソケット２１は第１のピン１および第２のピン２を含み、スイッチ回路２２は制御ピン２２３、入力端子２２０、第１の出力端子２２１、および第２の出力端子２２２を含む。イヤホンソケット２１の第１のピン１はスイッチ回路２２の制御ピン２２３に接続され、イヤホンソケット２１の第２のピン２はスイッチ回路２２の入力端子２２０に接続され、スイッチ回路２２の第１の出力端子２２１はイヤホン電源回路２３に接続され、スイッチ回路２２の第２の出力端子２２２はブリーダ回路２４に接続される。ブリーダ回路はイヤホンのオーディオ左チャンネルまたはオーディオ右チャンネルを通過する電圧間の差を低減するように構成され、端子は第１のピンの電圧を検出することによってイヤホンが差し込まれているか引き抜かれているかを決定し、端子は第２のピン２を用いてイヤホンに電力を供給する。
【００２８】
端子は、イヤホン電源回路２３を用いることによって、イヤホンに電力を供給する、またはそれを充電することが留意されるべきである。例えばイヤホンが通常のイヤホンである場合は、イヤホン電源回路２３はイヤホンのマイクロフォンに電力を供給する回路とすることができ、イヤホンがノイズ低減イヤホンである場合は、イヤホン電源回路２３はイヤホンに電力を供給する、またはそれを充電する回路とすることができる。
【００２９】
市場では２つのイヤホンソケット設計がある。第１のイヤホンソケット設計に対しては、イヤホンがイヤホンソケットに差し込まれる前は、イヤホンソケット２１の第１のピン１は部分Ｌと接触せず、イヤホンがイヤホンソケットに差し込まれた後に、イヤホンソケット２１の第１のピン１は部分Ｌと接触する。第２のイヤホンソケット設計に対しては、イヤホンがイヤホンソケットに差し込まれる前は、イヤホンソケット２１の第１のピン１は部分Ｌに接触し、イヤホンがイヤホンソケットに差し込まれた後は、イヤホンソケット２１の第１のピン１は部分Ｌと接触しなくなり、すなわちイヤホンソケット２１の第１のピン１は、はじき飛ばされる。
【００３０】
第１のタイプのイヤホンソケットに対しては、スイッチ回路２２の制御ピン２２３の入力電圧が第１のプリセット電圧値より低い（スイッチ回路２２の制御ピン２２３の入力電圧がローレベルである）ときは、スイッチ回路２２の入力端子２２０はスイッチ回路２２の第１の出力端子２２１に接続され、またはスイッチ回路２２の制御ピン２２３の入力電圧が第２のプリセット電圧値より高い（スイッチ回路２２の制御ピン２２３の入力電圧がハイレベルである）ときは、スイッチ回路２２の入力端子２２０はスイッチ回路２２の第２の出力端子２２２に接続される。
【００３１】
第２のタイプのイヤホンソケットに対しては、スイッチ回路２２の制御ピン２２３の入力電圧が第１のプリセット電圧値より高い（スイッチ回路２２の制御ピン２２３の入力電圧がハイレベルである）ときは、スイッチ回路２２の入力端子２２０はスイッチ回路２２の第１の出力端子２２１に接続され、またはスイッチ回路２２の制御ピン２２３の入力電圧が第２のプリセット電圧値より低い（スイッチ回路２２の制御ピン２２３の入力電圧がローレベルである）ときは、スイッチ回路２２の入力端子２２０はスイッチ回路２２の第２の出力端子２２２に接続される。
【００３２】
第１のプリセット電圧値および第２のプリセット電圧値はプリセット電圧値であり、第１のプリセット電圧値および第２のプリセット電圧値の値は、実際の必要条件に従って設定することができ、これは本発明のこの実施形態において特に限定されない。
【００３３】
イヤホンがイヤホンソケットに差し込まれ、またはそれから引き抜かれつつあるときは、イヤホンソケット２１の第１のピン１の電圧は変化することが留意されるべきである。一般にイヤホンソケット２１の第１のピン１がイヤホンと接触しているときは、イヤホンソケット２１の第１のピン１の電圧はローレベルであり、スイッチ回路２２の制御ピン２２３に入力される入力電圧もローレベルであり、イヤホンソケット２１の第１のピン１がイヤホンと接触していないときは、イヤホンソケット２１の第１のピン１の電圧はハイレベルであり、スイッチ回路２２の制御ピン２２３の入力電圧もハイレベルである。
【００３４】
第１のタイプのイヤホンソケットに対しては、イヤホンがイヤホンソケット２１に差し込まれ、またはそれから引き抜かれつつあるときは、イヤホンソケット２１の第１のピン１がイヤホンの部分Ｌに接続されていない場合は、第１のピン１の電圧はハイレベルであり、スイッチ回路２２の入力端子２２０はスイッチ回路２２の第２の出力端子２２２に接続され、すなわちイヤホン電源回路２３とイヤホンソケット２１の第２のピン２は切断される。従ってイヤホン電源回路２３上の電圧は、イヤホンのオーディオ左チャンネルまたはオーディオ右チャンネル上でループを形成せず、イヤホンのオーディオ左チャンネルまたはオーディオ右チャンネルからノイズは生じない。
【００３５】
第２のタイプのイヤホンソケットに対しては、イヤホンがイヤホンソケット２１に差し込まれ、またはそれから引き抜かれつつあるときは、イヤホンソケット２１の第１のピン１がはじき飛ばされない場合は、第１のピン１の電圧はローレベルであり、スイッチ回路２２の入力端子２２０は、スイッチ回路２２の第２の出力端子２２２に接続され、すなわちイヤホン電源回路２３とイヤホンソケット２１の第２のピン２は切断される。従ってイヤホン電源回路２３上の電圧は、イヤホンのオーディオ左チャンネルまたはオーディオ右チャンネル上でループを形成せず、イヤホンのオーディオ左チャンネルまたはオーディオ右チャンネルからノイズは生じない。
【００３６】
本発明のこの実施形態においてもたらされる、イヤホンを差し込むまたは引き抜く過程で発生されるノイズを低減することができる端子によれば、端子内にスイッチ回路が追加され、スイッチ回路の制御ピンの入力電圧がハイレベルまたはローレベルのときは（端子と共に用いられるイヤホンタイプに対して、ハイレベルおよびローレベルのいずれかが選択される）、スイッチ回路の入力端子はスイッチ回路の第２の出力端子に接続され、すなわちイヤホン電源回路と、イヤホンソケットの第２のピンとの間の接続は切断される。従ってイヤホン電源回路上の電圧は、イヤホンのオーディオ左チャンネルまたはオーディオ右チャンネル上にループを形成せず、イヤホンのオーディオ左チャンネルまたはオーディオ右チャンネルからノイズは生じず、それによりイヤホンがイヤホンソケットに差し込まれ、またはそれから引き抜かれつつあるときに発生されるノイズは効果的に低減される。
【００３７】
イヤホンがイヤホンソケットに差し込まれ、またはそれから引き抜かれつつあるときは、イヤホンソケット２１の第１のピン１の電圧は変化する。一般にイヤホンソケット２１の第１のピン１がイヤホンと接触しているときは、イヤホンソケット２１の第１のピン１の電圧はローレベルであり、イヤホンソケット２１の第１のピン１がイヤホンと接触していないときは、イヤホンソケット２１の第１のピン１の電圧はハイレベルである。しかしいくつかの場合では第１のピン１の電圧は明白に変化せず、従ってスイッチ回路はイヤホンソケット２１の第１のピン１がイヤホンと接触しているかどうかを正確に決定できず、これはスイッチ回路２２の誤った使用を引き起こし得る。上記の問題に対しては以下の解決方法が用いられ得る。
【００３８】
任意選択で、イヤホンソケット２１の第１のピン１がイヤホンと接触しているかどうかをスイッチ回路が正確に決定できないという問題は、ソフトウェア的に解決され得る。端子はさらにＣＰＵ（図示せず）を含み、イヤホンソケットの第１のピンがスイッチ回路の制御ピンに接続されることは、特に、ＣＰＵがイヤホンソケット２１の第１のピン１に電気的に接続され、スイッチ回路２２の制御ピンに電気的に接続されることである。ＣＰＵは、スイッチ回路の制御ピンの入力電圧が、イヤホンソケット２１の第１のピン１の電圧に従って、第１のプリセット電圧値より低くなるように調整するように、またはスイッチ回路の制御ピンの入力電圧が、イヤホンソケット２１の第１のピン１の電圧に従って、第２のプリセット電圧値より高くなるように調整するように構成される。
【００３９】
イヤホンソケット２１の第１のピン１およびスイッチ回路２２の制御ピン２２３をＣＰＵに別々に電気的に接続することによってＣＰＵは、スイッチ回路２２の制御ピン２２３の入力電圧が、イヤホンソケット２１の第１のピン１の電圧に従って、第１のプリセット電圧値より低くなるように調整し、またはスイッチ回路２２の制御ピン２２３の入力電圧が、イヤホンソケット２１の第１のピン１の電圧に従って、第２のプリセット電圧値より高くなるように調整する。すなわちＣＰＵは、イヤホンソケット２１の第１のピン１から得られる電圧を、スイッチ回路２２の制御ピン２２３によって正確に識別され得るハイレベルまたはローレベルの電圧に調整する。特定の調整の範囲に対しては、第１のプリセット電圧値および第２のプリセット電圧値が参照され得る。従ってハードウェアを追加する必要はなく、端子の製造コストを増加せずに、イヤホン電源回路２３とイヤホンソケット２１の第２のピン２との間の接続および切断をソフトウェア的に制御することによって、イヤホンがイヤホンソケット２１に差し込まれ、またはそれから引き抜かれつつあるときに発生されるノイズは依然として効果的に低減され得る。
【００４０】
任意選択で、イヤホンソケット２１の第１のピン１がイヤホンと接触しているかどうかをスイッチ回路が正確に決定できないという問題は、ハードウェア的に解決され得る。端子はさらに電圧調整ユニット（図示せず）を含み、イヤホンソケット２１の第１のピン１がスイッチ回路２２の制御ピン２３に接続されることは、特に、イヤホンソケット２１の第１のピン１が電圧調整ユニットの１つの端子に接続され、電圧調整ユニットの別の端子がスイッチ回路２２の制御ピン２２３に接続されることである。電圧調整ユニットは、スイッチ回路２２の制御ピン２２３の入力電圧が、イヤホンソケット２１の第１のピン１の電圧に従って、第１のプリセット電圧値より低くなるように調整するように、またはスイッチ回路２２の制御ピン２２３の入力電圧が、イヤホンソケット２１１の第１のピン１の電圧に従って、第２のプリセット電圧値より高くなるように調整するように構成される。
【００４１】
図３は、本発明の実施形態による端子の概略構造図である（イヤホンソケット２１に関連する部分のみを示す）。この実施形態は、図２に示される実施形態に基づいて実施され得る。本明細書では図２と異なる部分のみが述べられ、同じ部分に対しては図２の説明が参照され得る。
【００４２】
任意選択で電圧調整ユニットは特に電圧比較器３１であり、イヤホンソケット２１の第１のピン１がスイッチ回路２２の制御ピン２２３に接続されることは、特に（図３に示されるように）、イヤホンソケット２１の第１のピン１が電圧比較器３１の第１の端子に接続され、電圧比較器３１の第２の端子が基準電圧Ｖに接続され、電圧比較器３１の第３の端子がスイッチ回路２２の制御ピン２２３に接続されることである。電圧比較器３１は、スイッチ回路２２の制御ピン２２３の入力電圧が、イヤホンソケット２１の第１のピン１の電圧および基準電圧Ｖに従って、第１のプリセット電圧値より低くなるように調整するように、またはスイッチ回路２２の制御ピン２２３の入力電圧が、イヤホンソケット２１の第１のピン１の電圧および基準電圧Ｖに従って、第２のプリセット電圧値より高くなるように調整するように構成される。電圧比較器３１は、イヤホンソケット２１の第１のピン１から得られる電圧を基準電圧Ｖと比較し、電圧比較器３１から出力されることになる電圧を、スイッチ回路２２の制御ピン２２３によって正確に識別され得るハイレベルまたはローレベルの電圧に調整する。特定の調整の範囲に対しては、第１のプリセット電圧値および第２のプリセット電圧値が参照され得る。
【００４３】
電圧比較器３１を用いてイヤホンソケット２１のピン１の出力電圧を調整することによって、スイッチ回路２２の制御ピン２２３は、ハイレベルまたはローレベルを迅速におよび正確に識別することができ、それによりイヤホン電源回路２３とイヤホンソケット２１の第２のピン２との間の接続および切断をより正確に制御し、すなわちスイッチ回路２２の状態をより正確に制御することができ、それによってイヤホンがイヤホンソケット２１に差し込まれ、またはそれから引き抜かれつつあるときに発生されるノイズを効果的に低減することができる。
【００４４】
電圧比較器は従来技術において比較的一般的であり、電圧比較器の動作原理は本明細書では詳しく述べられない。
【００４５】
ブリーダ回路に対しては複数の特定の構造が存在し得ることが留意されるべきである。以下は、例を用いてブリーダ回路の特定の構造を述べる。端子の実際の製造プロセスにおいてどの構造が用いられるかは、実際の必要条件に従って設定することができ、これは本発明のこの実施形態において特に限定されない。
【００４６】
図４に示されるようにブリーダ回路２４はプルダウン抵抗Ｒを含み、プルダウン抵抗Ｒの一方の端子は、スイッチ回路２２の第２の出力端子２２２に接続され、プルダウン抵抗Ｒの他方の端子は、端子のグラウンドに接続される。
【００４７】
図５に示されるようにブリーダ回路２４はプルダウン抵抗Ｒを含み、プルダウン抵抗Ｒの一方の端子は、スイッチ回路２２の第２の出力端子２２２に接続され、プルダウン抵抗Ｒの他方の端子は、イヤホン電源回路２３に接続される。
【００４８】
ブリーダ回路は、イヤホンのオーディオ左チャンネルまたはオーディオ右チャンネルを通過する電圧間の差を低減するように構成される。
【００４９】
好ましくは、プルダウン抵抗Ｒの他方の端子が端子のグラウンドに接続されたときは、プルダウン抵抗Ｒの抵抗値は１キロオーム以下であり、またはプルダウン抵抗Ｒの他方の端子がイヤホン電源回路に接続されたときは、プルダウン抵抗Ｒの抵抗値は５キロオーム以上である。この場合は、イヤホンのオーディオ左チャンネルまたはオーディオ右チャンネルを通過する電圧間の差はゼロに近い。
【００５０】
本発明のこの実施形態においてもたらされる端子によれば、端子内にスイッチ回路が追加され、スイッチ回路の制御ピン２２３の入力電圧がハイレベルまたはローレベルのときは（端子と共に用いられるイヤホンタイプに対して、ハイレベルおよびローレベルのいずれかが選択される）、スイッチ回路の入力端子２２０はスイッチ回路の第２の出力端子２２２に接続され、すなわちイヤホン電源回路２３と、イヤホンソケット２１の第２のピン２との間の接続は切断される。従ってイヤホン電源回路上の電圧は、イヤホンのオーディオ左チャンネルまたはオーディオ右チャンネル上にループを形成せず、イヤホンのオーディオ左チャンネルまたはオーディオ右チャンネルからノイズは生じず、それによりイヤホンがイヤホンソケット２１に差し込まれ、またはそれから引き抜かれつつあるときに発生されるノイズは効果的に低減される。
【００５１】
実施形態２
本発明のこの実施形態は、実施形態１に基づく端子を改良して、イヤホンを差し込むまたは引き抜く過程で発生されるノイズをさらに低減する。
【００５２】
イヤホンが、図３に示される位置に、イヤホンソケット２１に差し込まれ、またはそれから引き抜かれつつあるときに、イヤホンソケット２１の第１のピン１がイヤホンの部分Ｌに接続された場合は、第１のピン１の電圧はローレベルであり、スイッチ回路２２の入力端子２２０はスイッチ回路２２の第１の出力端子２２１に接続され、すなわちイヤホン電源回路２３はイヤホンソケット２１の第２のピン２に接続される。この場合、イヤホンソケット２１のピン３がイヤホンの部分Ｒに接続され、イヤホンソケット２１の第２のピン２がイヤホンの部分Ｇに接続された場合は、イヤホン電源回路２３上の電圧はイヤホンのオーディオ右チャンネル上にループを形成し、イヤホンのオーディオ右チャンネルからノイズが生じる。この場合に対しては、イヤホンソケットの第２のピン２の長さが再設計される必要がある。特定の実装形態ではイヤホンソケット２１の第２のピン２の接点は、イヤホンソケット２１の第１のピン１がイヤホンの部分Ｌと接触する時点で、イヤホンソケット２１の第２のピン２の接点がイヤホンの部分Ｇと接触しないように、イヤホンの引き抜き方向にＸｍｍ移動され得る。このようにして、イヤホン電源回路２３上の電圧はイヤホンのオーディオ右チャンネル上にループを形成せず、イヤホンのオーディオ右チャンネルからノイズは生じない。従ってイヤホンを差し込むまたは引き抜く過程で発生されるノイズは、除去され得る。
【００５３】
イヤホンソケットの設計では以下の条件が満たされる必要がある：イヤホンがイヤホンソケットに完全に差し込まれた後に、イヤホンソケットの第２のピンの接点はイヤホンと高い信頼度で接触すること；およびイヤホンがイヤホンソケットに差し込まれつつあるときに、イヤホンソケットの第２のピンの接点は、イヤホンソケットの第１のピンがイヤホンと接触する時点で、イヤホンの導電性部分と接触しないこと。この場合、イヤホンソケット２１の第１のピン１がイヤホンの部分Ｌに接続され、イヤホン電源回路２３が第２のピン２に接続されたときは、イヤホンソケット２１の第２のピン２はイヤホンの部分Ｇに接続されない。このようにしてイヤホン電源回路２３上の電圧は、イヤホンのオーディオ右チャンネル上にループを形成せず、イヤホンのオーディオ右チャンネルからノイズは生じない。従ってイヤホンを差し込むまたは引き抜く過程で発生されるノイズは、除去され得る。
【００５４】
例えばイヤホンソケット２１の設計では以下の条件が満たされる必要がある：（１）イヤホンがイヤホンソケット２１に完全に差し込まれた後に、イヤホンソケット２１の第２のピン２の接点はイヤホンの部分Ｍと高い信頼度で接触できること；および（２）イヤホンがイヤホンソケット２１に差し込まれつつあるときに、イヤホンソケット２１の第２のピン２の接点は、イヤホンソケット２１の第１のピン１がイヤホンの部分Ｌと接触する時点で、イヤホンの部分Ｇと接触しないこと。
【００５５】
Ｘの特定の値は、イヤホンの設計において満たされる必要がある２つの条件に従って設定される必要があり、これは本発明のこの実施形態において特に限定されないことが留意されるべきである。
【００５６】
実施形態３
図６は、本発明の実施形態によるシステムの構造図である。図６に示されるようにシステムは、上記の実施形態１における端子およびイヤホンを含む。
【００５７】
実施形態２で述べられたイヤホンソケット２１の第２のピン２の設定の方法において、イヤホンがイヤホンソケットに差し込まれ、またはそれから引き抜かれつつあるときに発生されるノイズを除去することに加えて、イヤホンを差し込むまたは引き抜く過程で発生されるノイズはまた、イヤホン側における部分（標準イヤホンの対応する部分）をＸｍｍだけ短縮することによって除去され得ることが留意されるべきである。イヤホンの設計では以下の条件が満たされる必要がある：イヤホンがイヤホンソケットに完全に差し込まれた後に、イヤホンソケットの第２のピンの接点はイヤホンと高い信頼度で接触すること；およびイヤホンがイヤホンソケットに差し込まれつつあるときに、イヤホンソケットの第２のピンの接点は、イヤホンソケットの第１のピンがイヤホンと接触する時点で、イヤホンの導電性部分と接触しないこと。
【００５８】
例えばイヤホンの設計では以下の条件が満たされる必要がある：（１）イヤホンがイヤホンソケット２１に完全に差し込まれた後に、イヤホンソケット２１の第２のピン２の接点はイヤホンの部分Ｍと高い信頼度で接触すること；および（２）イヤホンがイヤホンソケット２１に差し込まれつつあるときに、イヤホンソケット２１の第２のピン２の接点は、イヤホンソケット２１の第１のピン１がイヤホンの部分Ｌと接触する時点で、イヤホンの部分Ｇと接触しないこと。
【００５９】
図７は、従来技術での標準イヤホンの概略構造図である。図８に示されるように、標準イヤホンのライン順序が左から右へＬ、Ｒ、ＧおよびＭであるとき、標準イヤホンの部分Ｇの長さはＡｍｍであり、部分Ｇと部分Ｍの間の絶縁体層の長さはＢｍｍである。
【００６０】
図８は、本発明の実施形態による改良型イヤホンの概略構造図である。図８は図７に基づく標準イヤホンへの変更を示し、すなわち改良型イヤホンの部分Ｇの長さは、標準イヤホンの部分Ｇのそれと比較してＸｍｍだけ短縮されている。図８に示されるように改良型イヤホンの部分Ｇの長さはＷ＝（Ａ−Ｘ）ｍｍ、部分Ｇと部分Ｍの間の絶縁体層の長さは（Ｂ＋Ｘ）ｍｍである。
【００６１】
同様に、イヤホンのライン順序がＬ、Ｒ、ＭおよびＧであるときは、イヤホンの部分Ｍの長さはＶｍｍに設定され、すなわち改良型イヤホンの部分Ｍの長さはＶ＝（Ａ−Ｘ）ｍｍ、部分Ｍと部分Ｇの間の絶縁体層の長さは（Ｂ＋Ｘ）ｍｍである。
【００６２】
Ｘの特定の値は、イヤホンの設計において満たされる必要がある２つの条件に従って設定される必要があり、これは本発明のこの実施形態において特に限定されないことが留意されるべきである。
【００６３】
この実施形態においてもたらされるシステムによれば、端子内にスイッチ回路が追加され、イヤホンの部分の長さは短くされ、それによりイヤホン電源回路２３上の電圧は、イヤホンのオーディオ左チャンネルまたはオーディオ右チャンネル上にループを形成せず、イヤホンのオーディオ左チャンネルまたはオーディオ右チャンネルからノイズは生じない。従ってイヤホンがイヤホンソケット２１に差し込まれ、またはそれから引き抜かれつつあるときに発生されるノイズは除去される。
【００６４】
当業者には、簡便および簡潔な説明のために、上記の機能モジュールの分割は、説明のための例としてのみ用いられていることが明らかに理解され得る。実際の応用例では上記の機能は、必要に応じて実施のために異なる機能モジュールに割り当てられ、すなわち装置の内部構造は、上述の機能のすべてまたはいくつかを実施するために異なる機能モジュールに分割される。上記の装置の詳細な動作プロセスは、上記の方法実施形態における対応するプロセスを参照することができ、詳細は本明細書では再び述べられない。
【００６５】
最後に、上記の実施形態は単に本発明の技術的解決策を述べるためのものであるが、本発明を限定するものではないことが留意されるべきである。本発明は、上記の実施形態を参照して詳しく述べられたが、当業者は、本発明の実施形態の技術的解決策の範囲から逸脱せずに、上記の実施形態で述べられた技術的解決策に対してさらに変更を行う、またはそれらの技術的特徴のいくつかまたはすべてに対して等価な置き換えを行い得ることを理解するべきである。
【図１】
0006423457.tif 000002
【図２】
0006423457.tif 000003
【図３】
0006423457.tif 000004
【図４】
0006423457.tif 000005
【図５】
0006423457.tif 000006
【図６】
0006423457.tif 000007
【図７】
0006423457.tif 000008
【図８】
0006423457.tif 000009